(57)【特許請求の範囲】
【請求項１】
窓枠や玄関等の開放部に設けられた、通風性を有する虫避け用の網戸と、屋内から人の外出を可能にするとともに屋外からの他人の侵入を阻止する非通風性の２面ある引き違いの防犯戸と、網戸を前記防犯戸と略同じ強度にすると共に、前記網戸に他人の屋外からの侵入を阻止して通風性を備えた防犯用仕切板とから成り、
前記開放部全面を防犯戸で閉鎖して施錠するとともに、前記網戸と防犯用仕切板および前記防犯戸を重ねて開閉することで人の屋内外への出入を可能にし、
しかも前記防犯用仕切板を備えた網戸と前記２面ある引き違いの防犯戸を前記開放部の左右に分離して施錠することで、屋外から他人の侵入を防止して屋内での睡眠など人の在住を可能にした戸構造に使用するロック構造において、
該ロック構造が、前記２面ある引き違いの防犯戸の一方の内枠に取り付けた本体と、該本体は枢着されたレバーと爪を設けたクレセント錠と前記本体の上部に枢着されたフックとを設け、前記開放部全面を防犯戸で閉鎖した場合、前記クレセント錠を前記レバーで回転することで前記防犯戸の他方の内枠に固定した掛受具に施錠できるようにするとともに、前記防犯用仕切板を備えた網戸と前記２面の防犯戸とを前記開放部の左右に分離して前記フックを回転して前記網戸の内側の内枠に設けた受具に前記フックを施錠できるようにしたことを特徴とする戸構造に使用するロック構造。
【請求項２】
前記防犯用仕切板が、通風性を有する多様な透視模様で構成されている請求項１に記載の戸構造に使用するロック構造。
【請求項３】
前記多様な透視模様の孔に植木鉢を引っ掛けるようにした請求項２に記載の戸構造に使用するロック構造。
【発明の詳細な説明】
【０００１】
【産業上の利用分野】
本発明は網戸を有する戸構造、特に戸構造として非通風性の防犯戸をそのまま用いると共に、網戸を外部から他人の侵入を防止できる戸構造に使用するロック構造に関する。
【０００２】
【従来例】
広く知られている窓枠や玄関に設けた戸構造としては、単にガラス、アルミニウム、木製あるいは鋼性などの遮蔽材でできた非通気性の開き戸または引き違い戸などの戸構造がある。この構造ではそのままでは盗人が屋内に入れないという防犯性を有するが、非通風性であるために家人が屋内に居る時などは暑苦しくて困った。
【０００３】
そこで、非通風性ガラス戸や木製板材等の防犯戸からなる引き違い戸を網戸とは反対側に寄せて置くことで、網戸による防虫と通風によるカビの発生の防止と屋内の人の涼を得ていることが現状である。また、開き戸では網戸を用いないか、用いても他人の侵入を阻止できるような強度を有するものではなかった。
【０００４】
【発明が解決しようとする課題】
しかし、この場合困まることは、上記網戸が防虫と通風性の機能のみで、構造上も木材枠と金網でできている網戸では、外部から人の侵入に対して防備できる強度のものではなく、しかも網戸にロック機構がないために、屋内で人が寝込んでいる時など不用心であり、防犯上問題があった。
【０００５】
また、現状では雨季などのカビ対策や夏期などの冷房については除湿機、扇風機、あるいはクーラーなどの空調機器が利用されているが、付け忘れにより風邪をひくこともあり、費用がかかる上に省エネルギーの観点から問題もあった。
【０００６】
本発明の目的は、上記不都合や問題点を解決しようとするもので、特に昼寝などの際にも海風、水打ちなどなるべく古くからの自然を利用した涼しさを得るとともに、就眠時の防犯上も考慮した戸構造の改良を提案するものである。
【０００７】
【課題を解決するための手段】
本発明は上記目的に基づいて成されたものであり、その要旨は窓枠や玄関等の開放部に設けられた、通風性を有する虫避け用の網戸と、屋内から人の外出を可能にするとともに屋外からの他人の侵入を阻止する非通風性の２面ある引き違いの防犯戸と、網戸を前記防犯戸と略同じ強度にすると共に、前記網戸に他人の屋外からの侵入を阻止して通風性を備えた防犯用仕切板とから成り、 前記開放部全面を防犯戸で閉鎖して施錠するとともに、前記網戸と防犯用仕切板および前記防犯戸を重ねて開閉することで人の屋内外への出入を可能にし、しかも前記防犯用仕切板を備えた網戸と前記２面ある引き違いの防犯戸を前記開放部の左右に分離して施錠することで、屋外から他人の侵入を防止して屋内での睡眠など人の在住を可能にした戸構造に使用するロック構造において、該ロック構造が、前記２面ある引き違いの防犯戸の一方の内枠に取り付けた本体と、該本体は枢着されたレバーと爪を設けたクレセント錠と前記本体の上部に枢着されたフックとを設け、前記開放部全面を防犯戸で閉鎖した場合、前記クレセント錠を前記レバーで回転することで前記防犯戸の他方の内枠に固定した掛受具に施錠できるようにするとともに、前記防犯用仕切板を備えた網戸と前記２面の防犯戸とを前記開放部の左右に分離して前記フックを回転して前記網戸の内側の内枠に設けた受具に前記フックを施錠できるようにしたことを特徴とする戸構造に使用するロック構造にある。
【０００８】
上記したように、従来の防犯戸は建物の開放部の柱などに鍵を掛けている、すなわち縁側などにある引き違い戸では片方の戸ともう一つの戸を閉めた隣接する中央部にクレセント錠を掛けることりより、また開き戸の場合には玄関などのように片方を蝶番にしておき他方にフック錠や南京錠等を施錠することにより安全を図っているが、サッシ枠内に金網を張った網戸側はもともと人の侵入を防止するものではないために、錠はなかった。
【０００９】
上記本発明の戸構造は、防犯戸は従来と同様に、引き違い戸では隣接する戸間にクレセント錠などを設け、開き戸の場合には蝶番による取り付け位置とは反対側にフック錠や南京錠などを設けて、それぞれの錠を鍵により開閉するものであるが、これに加えて網戸を従来より強度の強い防犯戸と略同じ強度のものを用い、その網戸に防犯用仕切板を添設して、網戸か防犯用仕切板のいずれか一方又は双方に錠を設けるようにした。
【００１０】
本発明は防犯用仕切板と網戸及び防犯戸からなるが、これら三つを各別に開閉できるようにしてもよいが、人が出入りする時には防犯用仕切板と網戸に防犯戸を重ねたものを開閉し、人が室内で睡眠などするときには通風性の防犯用仕切板及び網戸と非通風性の防犯戸を分離して開閉する（引き違い戸の場合は、引き違う両方の防犯戸を左右いずれか一方に重ねることで、これらを通風性の網戸と防犯用仕切板から分離・開放して室内へ風を導びく、開き戸の場合には、通風性の網戸と防犯用仕切板から非通風性の防犯戸を分離・開放して室内へ風を導びく。）。防犯用仕切板または網戸および防犯戸のいずれかには、建物の開放部と固着する錠を設ける。
【００１１】
また、防犯用仕切板は、図面に示すように、網戸の周囲に強固な枠を設け、この枠には人が容易に入れない堅牢な縦格子の他に、横格子のみか、これらの組み合わせ、あるいはこれらの他に通風性を有するものであれば多様な透視模様を設けたものでもよい。
【００１２】
さらに、上記各種防犯用仕切板の屋外側の表面には、１以上の花鉢を引っ掛けることで、装飾性の他にこれに水打ちして涼風を得るようにすることもできる。
【００１３】
上記引き違い戸や開き戸としては、古くからある木材枠と、枠内の木製板材やガラスを張ったものの他に、アルミニウム製のサッシュ枠にガラスなどを嵌めたものや、銅など鋼材等各種のものが考えられる。その具体的なものとしてアルミニウムやアルミ合金、その他銅製などの金属板やガラス板のいずれか、またはこれらを組み合わせた従来周知のものが用いられる。
【００１４】
上記防犯用仕切板と網戸は、引き違い戸ではこれらと防犯戸と重ねて共に開閉して外出など人が出入する場合（図７）と、開き戸ではノブによって防犯戸を重ねて外部から引くことで戸を開き、押し込んでから錠に鍵を掛ける場合（図３）がある。また、睡眠時など防犯用仕切板と網戸と防犯戸とを各別に開いて、虫の侵入を防止して風を室内に取り入れる場合は、開き戸では防犯用仕切板と網戸は建物とロック状態（錠を掛けている）にしておき、フック錠を防犯用仕切板または網戸の枠から解いて、ガラスの防犯戸のみを内側（室内）へ開く場合（図２）と、引き違い戸では２つのガラスの防犯戸を一方に重ねておき、他方に防犯用仕切板と網戸を合設（この合設には防犯用仕切板と網戸を一つの枠内に併設した場合と、各別の枠にそれぞれを兼用した場合がある）としておき、これらを互いにフック錠とクレセント錠を兼用した図９乃至図１１のロック錠を掛けて外部から人が侵入しないようにする（図６）。
【００１５】
【作用】
本発明の戸構造に使用するロック構造によれば、今までの網戸に格子など通風性の防犯用仕切板を合設し、これを玄関などの開放部に施錠できるようにしているので、防犯戸と網戸および防犯用仕切板が重ねられた時にはより防犯効果が高い。一方、窓枠や玄関に、防犯戸と、網戸および防犯用仕切板を各別に位置する時には、風通しが良くなることで夏期においては扇風機、クーラーや除湿機などの空調設備を用いることなく、自然に風を戸内に取り入れることができるので身体に快適であるばかりでなく、室内のカビの発生を防ぐこともできる。また、互いに強固な防犯戸と網戸付きの防犯用仕切板を施錠によって、外部から他人の侵入を防ぐことができるので、暑くて寝苦しい夜にも窓や玄関を開けたままにしておくことができる。
【００１６】
引き違い戸と網戸が開放部に位置する関係は、外出などで鍵をすることを必要とする場合には、防犯戸で全開放部を遮蔽して施錠するが、昼寝や掃除など通風を必要とし、かつ不慮に人が侵入しないようにするときには、非通風性の防犯戸を一側方に置き、他方側方を通風性の網戸と防犯用仕切板に置くことによって、それぞれを開放部に固定することで施錠する。
【００１７】
開き戸は、外出などで施錠するときは、外部から網戸と防犯用仕切板を家屋の開放部に施錠しておくが、昼寝時などの場合に防犯戸のみを網戸と防犯用仕切板から外しておくと、風が室内へ通る。
【００１８】
【実施例１】
以下に本発明である戸構造を開き戸にした実施例１を添付図面の図１乃至図４に基づいて説明する。
【００１９】
本発明の構造は、玄関の開放部１１に位置する開き戸Ａに関するもので、従来ある網戸より強度を有する枠と網とからなる、敷居上を移動する網戸４と、防犯用仕切板である格子５、及び防犯戸としてのガラス８と内枠６とからなる。
【００２０】
図１は本発明の戸構造が開き戸Ａである場合に、家の内から玄関の開放部１１を見た状態を示すものであり、この開き戸Ａは家の外側からノブ１を内外（外側は見えない）に設けた外枠２があり、外枠２の右側方の上下に蝶番３，３’を介して全体を家の外側に開閉できるようになっている（図３）。
【００２１】
また、この外枠２には手前（家の内側）から網戸４と防犯用仕切板としての縦格子５が並べて合設されている。さらに、上記外枠２内には内枠６の内に防犯戸としてのガラス戸８が開閉可能に嵌め込まれている（図２）。なお、内枠６には、矢印方向に回転自在に枢支したフック９，９’を、外枠２の落し込み穴１０，１０’に出入自在にした分離・連結機構を設けている。
【００２２】
上記構成から成る本発明の戸構造の利用方法を説明すると、図１では縦格子５と網戸４を合設した外枠２を玄関の開放部１１に閉じており、この時外枠２のノブは開放部２に外側から施錠され、ガラス８が嵌められた内枠６は外枠２にフック９，９’を回転して落し込み穴１０，１０’に嵌入して一体性を保つようにしている。
【００２３】
この状態から、上記フック９，９’を落し込み穴１０，１０’から外して、外枠２に軸支されている蝶番７，７’で内枠６のガラス８を引き離すこと（図２）により、ノブ１にある錠により建物の開放部１１と施錠した状態を維持して、網戸４から屋内への通風を可能にしている。図３に示す開き戸Ａは、内枠６を外枠２に重ねておき、これら戸構造Ａ全体を開閉して、家の内外への人の出入を自由にしている。
【００２４】
なお、図４は図１のＢ−Ｂ’断面図である。
【００２５】
【実施例２】
次いで、本発明の戸構造を引き違い戸にした実施例２を添付図面の図５乃至図１１に基づいて説明する。
【００２６】
本発明の戸構造は、窓枠としての外枠２０内の開放部１１０に位置する引き違い戸Ｂに関するもので、網戸７０と、防犯用仕切板である縦格子５０、及び引き違いの防犯戸としてのガラス戸８０からなる。
【００２７】
上記開放部１１０は、通常、木枠やサッシュ枠に囲まれたものをいい、開放部内に引き違い戸などを入れて窓を構成する。開放部１１０の枠の上下にある敷居と鴨居それぞれにあるレール６１（溝またはレール）によって、網戸７０と、防犯用仕切板である縦格子５０が合設したもの(通常一番外側にある)と、２面ある内枠６０のあるガラス戸８０からなる非通風性の防犯戸の、それぞれ（３列）を左右に移動可能にしている。
【００２８】
引き違い戸Ｂには、窓用として全面鋼製のものや、一部又は全部をガラス製にしたものなどがあるが、通常ガラスや錠前を破らない限り、外部より人の侵入を防止するようになっている。
【００２９】
引き違い戸Ｂの開放部１１０の内側にある網戸７０の枠５１は、引き違い戸の内枠６０と同等かそれ以上の剛性を有しており、網目の外面か内面のいずれか、または双方には人がはいれない間隔で、人の力では破壊できない程度の剛性を有する金属製の縦格子５０を配設している。この縦格子５０は図６と図８に示す縦格子の他に横格子や縦横の格子、あるいは透視模様を有するものであってもよい。
【００３０】
図９乃至図１１は本発明に用いる錠は、従来のクレセント錠２０とフック錠２９とを兼用したロック構造４０である。従来のクレセント錠２０は、上記フック錠２９のないものであり、ピン２２によって一方の窓の内枠６０の端部に取り付けた本体２１に枢着されており、このクレセント錠２０はレバー２３を反時計方向（矢印）に回転することによってレバー２３と一体にした円弧状の爪２４を矢印の方向に回転し（図９）、他方の窓の内枠６０の対応位置に設けた掛受具２５の受溝２６内へ嵌入することにより、本体２１側の引き違い戸の一方の戸と他方の戸に設けた掛受具２５とをロックする構成になっている（図１１）。そして、この従来のクレセント錠２０の本体２１には、閉鎖した状態の引き違い戸Ｂの室側からみて内方の内枠６０の縦フレームに２個のビス２７により固定され、掛受具２５は室からみて外方の内枠６０の横フレーム３２における前記縦フレームと対応する位置にビス孔３６を通してビス（図示せず）で固定して施錠している。
【００３１】
そして、この従来のクレセント錠を改良した本発明のロック構造４０は、図９乃至図１１に示すように、上記従来のクレセント錠２０の本体２１の上部にピン２８によって鉤状のフック２９を引き違い戸の一方のガラス戸の内枠６０に枢着しており、このフック２９を回転させて（図９）、引き違い戸の他方の内枠６０を通り越えて閉鎖した状態の網戸４０の横フレーム３３の対応する位置に設置した受具３４の受孔３５に嵌入する構造となっている（図１０）。
【００３２】
つぎに、上記ロック構造４０を用いた開放部１１０における引き違い戸Ｂと、縦格子５０の付いた網戸７０の関係について、図５乃至図８により説明する。
【００３３】
図５は、引き違い戸Ｂのガラス戸の２面で開放部１１０全面を２本のレール６１ａ，６１ｂ上を移動して閉鎖した状態を示すものでロック構造４０の爪２４が掛受具２５に回転して施錠されている状態とし、これによって外出など密閉性を必要とする従来と同じ非通風状態になっている。この場合引掛部材２９は、上方に立設した状態にある。
【００３４】
図６は、２つのガラス戸を開放部１１０の向かって右側にレール６１a，６１b上を右側に寄せておき、網戸７０を図示しないレール上を左側に寄せた状態で開放部１１０の左半分を通風状態にして全面を隠蔽しており、二重のガラス戸の内の室側のガラス戸８０側に固着しているロック構造４０のフック２９を網戸７０の横フレーム３３にある受具３４の受孔３５へ嵌入することにより、内側のガラス戸（手前側）と網戸７０はもちろん、これらの中間のガラス戸も施錠される。この場合、網戸７０の側から涼風が入るが、人は侵入できない。
【００３５】
なお、図示しないが本発明の網戸７０の防犯用仕切板としての横格子または鋼材でできた通風性を有する多様な透視模様を利用して、これに外側から観葉樹や花などを植えたプランタンや植木鉢を１以上引っ掛けることにより、外観上見た目にも美しくし、またこれに水を与えたり、日陰を作ることにより、外側からの風を涼しく戸内に入れることもできる。
【００３６】
【発明の効果】
本発明の戸構造に使用するロック構造は、窓枠や玄関の開放部に位置する開き戸や引き違い戸と、網戸と合設した防犯用仕切板により、網戸と防犯用仕切板および防犯戸の３つを重ねて開閉することで人の屋内外への出入を可能にすると共に、網戸と防犯用仕切板を窓などの開放部に施錠し、これから防犯戸を開放して屋外から、許可なき他人の侵入を防止して睡眠時等在住することができる。
【００３７】
また、本発明の戸構造に使用するロック構造によれば、防犯用仕切板と網戸のいずれかと防犯戸間に鉤状のフックなどの分離・連結機構を設けることで、防犯戸を開放しても屋外から他人の侵入を防止して屋内への通風を可能にした。さらに、上記防犯用仕切板を多様な透視模様の鋼材にすることで、この透視模様の孔に花鉢などを引っ掛けて趣向を高めるとともに、この水打ちにより涼を得ることもできる。
【図面の簡単な説明】
【図１】  本発明の戸構造に使用するロック構造の一実施例である開き戸を玄関に設置した状態の斜視図である。
【図２】  図１から非通風性のガラス製防犯戸を開いた状態の斜視図である。
【図３】  図１から防犯および網戸と防犯用仕切板の全てを開いた状態の斜視図である。
【図４】  図１のＢ−Ｂ'断面図である。
【図５】  本発明の戸構造に使用するロック構造の他の実施例である引き違い戸を窓に設置した状態の斜視図である。
【図６】  図５から非通風性のガラス製防犯戸を開いた状態の斜視図である。
【図７】  図５から防犯戸および網戸と防犯用仕切板の全てを開いた状態の斜視図である。
【図８】  図５のＡ−Ａ'断面図である。
【図９】  図７の状態にある分離・連結機構の拡大図である。
【図１０】  図６の状態を示す分離・連結機構の拡大図である。
【図１１】  図５の状態を示す分離・連結機構の拡大図である。
【符号の説明】
１１  開放部（窓枠や玄関）
４，７０  網戸
５，５０  防犯用仕切板
８，８０  防犯戸（ガラス戸）
４０  分離・連結機構（ロック機構）
【図１】
0004104301.tif 000002
【図２】
0004104301.tif 000003
【図３】
0004104301.tif 000004
【図４】
0004104301.tif 000005
【図５】
0004104301.tif 000006
【図６】
0004104301.tif 000007
【図７】
0004104301.tif 000008
【図８】
0004104301.tif 000009
【図９】
0004104301.tif 000010
【図１０】
0004104301.tif 000011
【図１１】
0004104301.tif 000012